(57)【特許請求の範囲】
【請求項１】
使用する人の臀部に対応する部分が広口の空間部となったベッド本体と、
前記空間部と実質的に同一位置に形成された開口部を備えた固定マットと、
前記ベッド本体の空間部より下位置にあって、前記開口部に装着される循環マットを複数備える第１の無端コンベアと、
前記第１の無端コンベアに取付けられた前記各循環マットを前記固定マットの開口部に装着するマット装着手段と、
前記開口部に平行に張設可能に設けられた多数の糸又は帯状部材と、
隣り合う前記糸又は帯状部材を交互に張設・緩設すると共に、全部の前記糸又は帯状部材を張設又は緩設する糸又は帯状部材の緊張支持手段と、
前記使用する人の臀部を洗浄する臀部洗浄手段と、
前記臀部洗浄手段で洗浄された前記臀部を乾燥する臀部乾燥手段と、
前記第１の無端コンベアの後端部の下方に設けられて、排泄物が付着した前記循環マットを洗浄するマット洗浄手段と、
前記第１の無端コンベアの中間部の下方に設けられて、前記マット洗浄手段によって洗浄された前記循環マットを殺菌する殺菌手段と、
廃液及び洗い落とされた前記排泄物を含む洗浄後の廃物を受けて、該廃物を排出可能な排出口を備えた廃物受皿と、
前記第１の無端コンベアの前端部の下方に設けられて、前記殺菌手段によって殺菌された前記循環マットを乾燥するマット乾燥手段とを備えたことを特徴とする介護用ベッド装置。
【請求項２】
請求項１記載の介護用ベッド装置において、前記固定マットの長手方向に直交する断面で、前記開口部をコ字状に囲んで配置された第２の無端コンベアと、
前記第２の無端コンベアに取付けられ、前記使用する人が放尿する尿を受ける複数の尿用循環マットと、
前記開口部上方に配置され、前記使用する人の陰部及びその近傍を洗浄する陰部洗浄手段と、
前記陰部洗浄手段で洗浄された前記陰部及びその近傍を乾燥する陰部乾燥手段と、
前記第２の無端コンベアに設けられて、前記尿が付着した前記尿用循環マットを洗浄する尿用マット洗浄手段と、
前記第２の無端コンベアに設けられて、前記尿用マット洗浄手段によって洗浄された前記尿用循環マットを乾燥する尿用マット乾燥手段と、
前記尿を含む洗浄後の廃物を受けて、該廃物を排出可能な排出口を備えた尿用廃物受皿と、
前記第２の無端コンベア、前記陰部洗浄手段、前記陰部乾燥手段、前記尿用マット洗浄手段及び前記尿用廃物受皿を支持すると共に、前記ベッド本体の長手方向に水平に進退する進退フレームと、
前記進退フレームを駆動するフレーム駆動手段とを備えたことを特徴とする介護用ベッド装置。
【請求項３】
請求項２記載の介護用ベッド装置において、前記第２の無端コンベア、前記陰部洗浄手段、前記陰部乾燥手段、前記尿用マット洗浄手段及び前記尿用マット乾燥手段の外側を覆う保護カバーと、該保護カバーの前記開口部上方に前記陰部及びその近傍を隠すカーテンとを備えたことを特徴とする介護用ベッド装置。
【請求項４】
請求項２又は３記載の介護用ベッド装置において、前記尿用マット洗浄手段は洗浄水を噴出する尿用洗浄パイプを備えたことを特徴とする介護用ベッド装置。
【請求項５】
請求項２〜４のいずれか１項に記載の介護用ベッド装置において、前記尿用マット乾燥手段は熱風のブローができることを特徴とする介護用ベッド装置。
【請求項６】
請求項１〜５のいずれか１項に記載の介護用ベッド装置において、前記糸又は帯状部材の緊張支持手段は、前記固定マットの上端より下方に配置され、前記糸又は帯状部材それぞれの一端を掛止する掛止部と、該掛止部に掛止された前記各糸又は帯状部材を前記開口部の前側にガイドする前側ガイド部材と、該前側ガイド部材にガイドされた前記各糸又は帯状部材を前記開口部の上端に水平にガイドする後側ガイド部材と、該後側ガイド部材から導出された前記各糸又は帯状部材を９０°以下の巻付け角度で巻付ける緊張支持切換ローラと、該緊張支持切換ローラを駆動するローラ駆動機構と、前記緊張支持切換ローラから導出された前記各糸又は帯状部材の他端を緊張部材を介して固定する固定部とを備え、
前記緊張支持切換ローラにおいては、円形状の軸の断面を４等分し、第１の部分は円弧状とし、第２の部分には偶数列の前記糸又は帯状部材を巻き付ける個所は円弧状とすると共に、奇数列の前記糸又は帯状部材を巻き付ける個所は弓形状の切込みを形成し、第３の部分には偶数列の前記糸又は帯状部材を巻き付ける個所は弓形状の切込みを形成すると共に、奇数列の前記糸又は帯状部材を巻き付ける個所は円弧状とし、第４の部分は弓形状の切込みを形成することを特徴とする介護用ベッド装置。
【請求項７】
請求項１〜６のいずれか１項に記載の介護用ベッド装置において、前記臀部洗浄手段は、外側に軟質材を被覆した放射状に洗浄水を噴出する臀部洗浄パイプと、該臀部洗浄パイプを前記臀部に接触して実質的に滑ることなく回転させながら水平方向に移動させるパイプ回転・進退機構とを備えたことを特徴とする介護用ベッド装置。
【請求項８】
請求項１〜７のいずれか１項に記載の介護用ベッド装置において、前記マット装着手段は、前記第１の無端コンベアのヘッド側プーリ又はテール側プーリを回転中心として該第１の無端コンベアを回動することを特徴とする介護用ベッド装置。
【請求項９】
請求項１〜８のいずれか１項に記載の介護用ベッド装置において、前記マット洗浄手段は放射状に洗浄水を噴出する回転洗浄パイプと、該回転洗浄パイプの外周に取付けられた回転羽根とを備えたことを特徴とする介護用ベッド装置。
【請求項１０】
請求項１〜９のいずれか１項に記載の介護用ベッド装置において、前記マット乾燥手段は赤外線を照射することを特徴とする介護用ベッド装置。
【請求項１１】
請求項１〜１０のいずれか１項に記載の介護用ベッド装置において、前記複数の糸又は帯状部材には、該糸又は帯状部材の切断を検知する糸又は帯状部材の切断検知手段が設けられたことを特徴とする介護用ベッド装置。
【発明の詳細な説明】
【０００１】
【発明の属する技術分野】
本発明は、例えば、おむつを使用しない寝たきり老人の排泄物の処理を行う介護用ベッド装置に関する。
【０００２】
【従来の技術】
従来、ベッド等に寝たきりの老人の排泄物の処理においては、赤ちゃんの場合と同様に、家族の者である介護人が寝たきりの老人におむつをはかせ、寝たきりの老人が排泄した汚物と共におむつを外し、汚れたお尻及び／又は陰部をティシュやタオル等で拭いてきれいにした後、新しいおむつをはかせている。また、汚れたおむつは、汚物を取り除いた後、洗濯機等で洗って乾燥して再度使用している。
【０００３】
【発明が解決しようとする課題】
しかしながら、従来の寝たきりの老人の排泄物の処理においては、未だ解決すべき以下のような問題があった。
介護人が汚物や汚れたおむつに触れることになるので、不衛生であると共に、そのような世話は介護人にとって精神的に苦痛を感じることがあった。
また、寝たきりの老人にとっても、介護人に排泄物の処理をしてもらうことを心苦しく感じる場合もあり、さらに、自分の体が見られることを恥ずかしく思っていた。
さらに、汚れたおむつとその他の洗濯物とを同じ洗濯機で洗うことは、家族の者にとってあまり良い感じはしなかった。
【０００４】
本発明はこのような事情に鑑みてなされたもので、おむつを付けないで使用する本人にとって衛生的であり、また介護人を必要とせず、かつ本人が恥ずかしい思いをしないで済む介護用ベッド装置を提供することを目的とする。
【０００５】
【課題を解決するための手段】
前記目的に沿う本発明に係る介護用ベッド装置は、使用する人の臀部に対応する部分が広口の空間部となったベッド本体と、空間部と実質的に同一位置に形成された開口部を備えた固定マットと、ベッド本体の空間部より下位置にあって、開口部に装着される循環マットを複数備える第１の無端コンベアと、第１の無端コンベアに取付けられた各循環マットを固定マットの開口部に装着するマット装着手段と、開口部に平行に張設可能に設けられた多数の糸又は帯状部材と、隣り合う糸又は帯状部材を交互に張設・緩設すると共に、全部の糸又は帯状部材を張設又は緩設する糸又は帯状部材の緊張支持手段と、使用する人の臀部を洗浄する臀部洗浄手段と、臀部洗浄手段で洗浄された臀部を乾燥する臀部乾燥手段と、第１の無端コンベアの後端部の下方に設けられて、排泄物が付着した循環マットを洗浄するマット洗浄手段と、第１の無端コンベアの中間部の下方に設けられて、マット洗浄手段によって洗浄された循環マットを殺菌する殺菌手段と、廃液及び洗い落とされた排泄物を含む洗浄後の廃物を受けて、廃物を排出可能な排出口を備えた廃物受皿と、第１の無端コンベアの前端部の下方に設けられて、殺菌手段によって殺菌された循環マットを乾燥するマット乾燥手段とを備えている。これによって、使用する人の排泄物によって汚れた循環マット及び排泄物によって汚れた臀部は、糸又は帯状部材の緊張支持手段によって支えられるので、そのままの体位で汚れた臀部は洗浄され、洗浄後の廃液及び排泄物は処理される。また、汚れた循環マットも洗浄され、殺菌された後、乾燥されて再び使用される。
【０００６】
本発明に係る介護用ベッド装置において、固定マットの長手方向に直交する断面で、開口部をコ字状に囲んで配置された第２の無端コンベアと、第２の無端コンベアに取付けられ、使用する人が放尿する尿を受ける複数の尿用循環マットと、開口部上方に配置され、使用する人の陰部及びその近傍を洗浄する陰部洗浄手段と、陰部洗浄手段で洗浄された陰部及びその近傍を乾燥する陰部乾燥手段と、第２の無端コンベアに設けられて、尿が付着した尿用循環マットを洗浄する尿用マット洗浄手段と、第２の無端コンベアに設けられて、尿用マット洗浄手段によって洗浄された尿用循環マットを乾燥する尿用マット乾燥手段と、尿を含む洗浄後の廃物を受けて、廃物を排出可能な排出口を備えた尿用廃物受皿と、第２の無端コンベア、陰部洗浄手段、陰部乾燥手段、尿用マット洗浄手段及び尿用廃物受皿を支持すると共に、ベッド本体の長手方向に水平に進退する進退フレームと、進退フレームを駆動するフレーム駆動手段とを備えることもできる。これによって、使用する人が放尿する尿によって汚れた尿用循環マット及び尿によって汚れた陰部及びその近傍は、使用する人の体位はそのままの状態で洗浄され、洗浄後の廃液及び尿は処理される。また、洗浄された尿用循環マットは、乾燥されて再び使用される。
【０００７】
本発明に係る介護用ベッド装置において、第２の無端コンベア、陰部洗浄手段、陰部乾燥手段、尿用マット洗浄手段及び尿用マット乾燥手段の外側を覆う保護カバーと、保護カバーの開口部上方に陰部及びその近傍を隠すカーテンとを備えることもできる。これによって、汚物の飛散を防止できると共に、使用する本人にとって恥ずかしい思いをすることがない。
本発明に係る介護用ベッド装置において、尿用マット洗浄手段は洗浄水を噴出する尿用洗浄パイプを備えることもできる。これによって、尿用循環マットを水によって容易に洗浄できる。
本発明に係る介護用ベッド装置において、尿用マット乾燥手段は熱風のブローができるように構成できる。これによって、簡略で省スペースな手段とすることができる。
【０００８】
本発明に係る介護用ベッド装置において、糸又は帯状部材の緊張支持手段は、固定マットの上端より下方に配置され、糸又は帯状部材それぞれの一端を掛止する掛止部と、掛止部に掛止された各糸又は帯状部材を開口部の前側にガイドする前側ガイド部材と、前側ガイド部材にガイドされた各糸又は帯状部材を開口部の上端に水平にガイドする後側ガイド部材と、後側ガイド部材から導出された各糸又は帯状部材を９０°以下の巻付け角度で巻付ける緊張支持切換ローラと、緊張支持切換ローラを駆動するローラ駆動機構と、緊張支持切換ローラから導出された各糸又は帯状部材の他端を緊張部材を介して固定する固定部とを備え、緊張支持切換ローラにおいては、円形状の軸の断面を４等分し、第１の部分は円弧状とし、第２の部分には偶数列の糸又は帯状部材を巻き付ける個所は円弧状とすると共に、奇数列の糸又は帯状部材を巻き付ける個所は弓形状の切込みを形成し、第３の部分には偶数列の糸又は帯状部材を巻き付ける個所は弓形状の切込みを形成すると共に、奇数列の糸又は帯状部材を巻き付ける個所は円弧状とし、第４の部分は弓形状の切込みを形成する構成とすることもできる。これによって、緊張支持切換ローラの回転角度を変えることで、簡単な手段により、かつ容易に、開口部に配置された隣り合う糸又は帯状部材を交互に張設・緩設すると共に、全部の糸又は帯状部材を張設・緩設することができる。
【０００９】
本発明に係る介護用ベッド装置において、臀部洗浄手段は、外側に軟質材を被覆した放射状に洗浄水を噴出する臀部洗浄パイプと、臀部洗浄パイプを臀部に接触して実質的に滑ることなく回転させながら水平方向に移動させるパイプ回転・進退機構とを備えることもできる。これによって、軟質材により臀部を確実に洗浄できると共に、臀部洗浄パイプが臀部に軟らかく接触できる。
本発明に係る介護用ベッド装置において、マット装着手段は、第１の無端コンベアのヘッド側プーリ又はテール側プーリを回転中心として第１の無端コンベアを回動することもできる。これによって、マット装着手段を簡略化できる。
【００１０】
本発明に係る介護用ベッド装置において、マット洗浄手段は放射状に洗浄水を噴出する回転洗浄パイプと、回転洗浄パイプの外周に取付けられた回転羽根とを備えることもできる。これによって、回転羽根により排泄物を掻き落としながら水で循環マットを洗浄できる。
本発明に係る介護用ベッド装置において、マット乾燥手段は赤外線を照射することもできる。これによって、循環マットを殺菌できる。
本発明に係る介護用ベッド装置において、複数の糸又は帯状部材には、糸又は帯状部材の切断を検知する糸又は帯状部材の切断検知手段を設けることもできる。これによって、すぐに糸又は帯状部材の切断個所を補修できる。
【００１１】
【発明の実施の形態】
続いて、添付した図面を参照しつつ、本発明を具体化した実施の形態につき説明し、本発明の理解に供する。
ここに、図１は本発明の一実施の形態に係る介護用ベッド装置の使用状況を説明する斜視図、図２は同介護用ベッド装置における臀部の処理に関連して循環マットを装着中の斜視図、図３は同介護用ベッド装置における臀部の処理に関連した正断面図、図４は同介護用ベッド装置のワイヤーの緊張支持手段における、ワイヤーと緊張支持切換ローラの配置の説明図、図５は図４の矢視Ｉ−Ｉ断面図、図６は図４の矢視II−II断面図、図７は本発明の一実施の形態に係る介護用ベッド装置における尿の処理に関連した側断面図、図８はマット洗浄手段の断面図、図９はワイヤーの切断検知手段の説明図である。
【００１２】
図１、図２、図３及び図７に示すように、本発明の一実施の形態に係る介護用ベッド装置１０は、使用する人の一例である寝たきり老人１１が仰向けになれる固定マット１２を搭載するベッド本体１３と、ベッド本体１３の下部に取付けられ、寝たきり老人１１の臀部１４に関連した処理を行う臀部処理手段群１５と、寝たきり老人１１の放尿に関連した処理を行う尿処理手段群１６を有している。以下、これらについて詳しく説明する。
ベッド本体１３は、平面視して４隅に垂直方向に配置された木製の脚材１７〜２０と、隣合う木製の脚材１７〜２０を互いに連結する水平方向に上部又は下部に配置された木製の上補強部材２１〜２４、下補強部材２５〜２８を備えている。
ベッド本体１３の寝たきり老人１１の臀部１４に対応する部分には、広口の空間部２９が形成されており、空間部２９と実質的に同一位置に、平面視して矩形状に形成された開口部３０を備えた固定マット１２が、脚材１７、１８及び上補強部材２１〜２４上に配置されている。開口部３０の大きさは、肛門を中心にして前後方向にそれぞれ３００ｍｍ、左右方向にそれぞれ４００ｍｍ程度としている。
【００１３】
臀部処理手段群１５は、ベッド本体１３の空間部２９より下位置にあって、開口部３０に装着される循環マット３１、３１ａ、３１ｂを備える第１の無端コンベア３２と、第１の無端コンベア３２に取付けられた各循環マット３１、３１ａ、３１ｂを固定マット１２の開口部３０に装着するマット装着手段３３と、開口部３０に平行に張設可能に設けられた多数（本実施の形態では４０本）の糸又は帯状部材の一例であるワイヤー３４と、隣り合うワイヤー３４を交互に張設・緩設すると共に、全部のワイヤー３４を張設・緩設するワイヤーの緊張支持手段３５を有している。なお、ワイヤー３４は、５本線６撚りで直径１．２ｍｍのステンレス製を使用しているが、直径０．８〜１．５ｍｍ程度とすることができる。
【００１４】
臀部処理手段群１５は、寝たきり老人１１の臀部１４を洗浄する臀部洗浄手段３６と、臀部洗浄手段３６で洗浄された臀部１４を乾燥する臀部乾燥手段９２と、第１の無端コンベア３２の後端部の下方に設けられて、排泄物が付着して搬送される循環マット３１を洗浄するマット洗浄手段３７と、第１の無端コンベア３２の中間部の下方に設けられて、マット洗浄手段３７によって洗浄された循環マット３１を殺菌する殺菌手段３８を有している。さらに、廃液及び洗い落とされた排泄物を含む洗浄後の廃物を受けると共に、廃物を排出可能な排出口３９を備えた廃物受皿４０と、第１の無端コンベア３２の前端部の下方に設けられて、殺菌手段３８によって殺菌された循環マット３１ｂを乾燥するマット乾燥手段４１を備えている。
【００１５】
循環マット３１、３１ａ、３１ｂは、開口部３０より若干小さ目に形成され、矩形状で、厚さが３〜５ｃｍに形成されており、綿やナイロンからできている。循環マット３１が開口部３０に装着された状態で、ワイヤー３４を張設した時、張ったワイヤー３４が循環マット３１の上端に位置するように、また、ワイヤー３４を緩設した時、緩んだワイヤー３４が循環マット３１の上端下方に位置するように配置されている。
【００１６】
第１の無端コンベア３２は、循環マット３１が開口部３０に装着された状態で、循環マット３１及び下流側の循環マット３１ａを実質的に水平状態に保持すると共に、循環マット３１ｂを、図３に示すように、断面Ｖ字状に保持できるように構成されている。第１の無端コンベア３２は、側面視して「く」字状のコンベアフレーム４２と、コンベアフレーム４２の後端部４２ａに設けられた、図示しない減速機付きモータ等の駆動源を備えたヘッド側（駆動側）プーリ４３と、ヘッド側プーリ４３と略平行に前側に配置された水平ガイドプーリ４４と、水平ガイドプーリ４４の前方の下方に配置されたテール側（従動側）プーリ４５と、コンベアフレーム４２の水平部の前側下方に配置されたガイドプーリ４６と、各プーリ４３〜４６に掛け渡された無端ベルト４７を有している。なお、ガイドプーリ４６は無端ベルト４７の幅方向の両端部を支持する一対のもので構成されている。
【００１７】
図３に示すように、マット装着手段３３は、第１の無端コンベア３２のテール側プーリ４５を回転中心として第１の無端コンベア３２全体を回動するため、ベッド本体１３の上補強部材２１に取付け金具（図示せず）を介して揺動可能に取付けられたシリンダー４８によってコンベアフレーム４２の後端部４２ａを略垂直方向に昇降させている。
従って、シリンダー４８を介して第１の無端コンベア３２をテール側プーリ４５を回転中心として回動した状態（図３において２点鎖線で示す、循環マット３１が開口部３０から外れた状態）で、ヘッド側プーリ４３を駆動することにより、循環マット３１、３１ａ、３１ｂを搬送してそれぞれ、循環マット３１ａ、３１ｂ、３１の位置に移動することができる。その後、シリンダー４８を駆動して、新しい循環マット３１ｂを開口部３０に装着することができる。
【００１８】
ワイヤーの緊張支持手段３５は、固定マット１２の上端より下方に配置され、ワイヤー３４それぞれの一端を掛止する掛止部４９と、掛止部４９に掛止されたワイヤー３４を開口部３０の前側にガイドする前側ガイド部材５０と、前側ガイド部材５０にガイドされたワイヤー３４を開口部３０の上端に水平にガイドする後側ガイド部材５１を備えている。さらに、後側ガイド部材５１から導出されたワイヤー３４を９０°以下の巻付け角度αで巻付ける緊張支持切換ローラ５２と、緊張支持切換ローラ５２を回転駆動する図示しないローラ駆動機構と、緊張支持切換ローラ５２から導出されたワイヤー３４の他端を緊張部材の一例であるコイルスプリング（図示せず）を介して固定する固定部５３を備えている。
【００１９】
図３に示すように、掛止部４９は、ベッド本体１３の前部の上補強部材２１、２３に取付けられた取付け部材５４の下端に設けられた、山形鋼からなる水平に配置された１本の掛止部材５５と、掛止部材５５に取付けられ、ワイヤー３４それぞれの一端が接続されたワイヤー保持具５６を備えている。
前側ガイド部材５０及び後側ガイド部材５１は、ワイヤー３４の張設方向に直交して配置され、その厚さが固定マット１２の厚さと略同じ断面矩形状に形成された長尺の木材と、木材の上端部のワイヤー３４の屈曲部に設けられた、プラスチック製の屈曲防止部材（図示せず）を備えている。屈曲防止部材によって、ワイヤー３４の屈曲による疲労破壊を抑制している。
【００２０】
図４〜図６に示すように、緊張支持切換ローラ５２においては、円形状の軸５７の断面を４等分し、第１の部分ａは円弧状とし、第２の部分ｂには偶数列（図４に示すワイヤー３４の内のワイヤーＡが接触する列を示す）のワイヤーＡを巻き付ける個所は円弧状とすると共に、奇数列（図４に示すワイヤー３４の内のワイヤーＢが接触する列を示す）のワイヤーＢを巻き付ける個所は弓形状の切込み５８を形成している。また、第３の部分ｃには偶数列のワイヤーＡを巻き付ける個所は弓形状の切込み５９を形成すると共に、奇数列のワイヤーＢを巻き付ける個所は円弧状とし、第４の部分ｄは弓形状の切込み６０を形成する構成としている。各円弧の長さｓと切込み６０の弦の長さｇとの差は１０〜２０ｍｍ程度としている。
緊張支持切換ローラ５２の両端部は、ベッド本体１３に設けられた軸受（図示せず）に回転可能に設けられ、一方の軸端には、図示しない減速機付きモータ等の駆動源が取付けられており、駆動源によって緊張支持切換ローラ５２を回転するように構成している。
【００２１】
図３に示すように、固定部５３も、掛止部４９と同様、ベッド本体１３の後部の上補強部材２１、２３に取付けられた取付け部材６１の下端に設けられた、山形鋼からなる水平に配置された１本の掛止部材６２と、掛止部材６２に取付けられ、ワイヤー３４それぞれの他端が接続されたワイヤー保持具６３を備えている。
従って、前記駆動源を介して緊張支持切換ローラ５２を９０°回転して、第１の部分ａにワイヤー３４が当接すると、すべてのワイヤー３４が張設され、さらに９０°回転して第２の部分ｂにワイヤー３４が当接すると、ワイヤーＡは張設されされたままで、ワイヤーＢは緩設される。また、緊張支持切換ローラ５２をさらに９０°回転して、第３の部分ｃにワイヤー３４が当接すると、ワイヤーＡは緩設されると共に、ワイヤーＢは張設され、さらに９０°回転すると、第４の部分ｄにワイヤー３４が当接し、すべてのワイヤー３４が緩設されることになる。
【００２２】
図７に示すように、臀部洗浄手段３６は、ベッド本体１３の中間部の上補強部材２１、２３の内側に取付けられた水平ガイド６４、６５に両端部がガイドされた、洗浄水を上方に噴出する臀部洗浄パイプ６６と、臀部洗浄パイプ６６を開口部３０の前後方向に進退する進退機構（図示せず）とを備えている。臀部洗浄パイプ６６の長手方向の上部には小径の噴出孔が所定のピッチで形成されている。また、臀部洗浄パイプ６６の進退中に臀部洗浄パイプ６６内に洗浄水を給水可能な図示しない給水機構を設けている。洗浄のタイミングは、図３に２点鎖線で示すように、循環マット３１が開口部３０から外され、図７に示すように、ワイヤーの緊張支持手段３５によってワイヤーＡを張設し、ワイヤーＢを緩設した状態で臀部洗浄パイプ６６を、前側ガイド部材５０の下から後側ガイド部材５１の下まで移動する時、次いで、ワイヤーの緊張支持手段３５によってワイヤーＡを緩設し、ワイヤーＢを張設した状態で臀部洗浄パイプ６６を、後側ガイド部材５１の下から前側ガイド部材５０の下まで移動する時に行う。
【００２３】
臀部乾燥手段９２は、臀部洗浄手段３６によって洗浄された臀部１４を乾燥するもので、臀部洗浄手段３６と略同様の構成となっており、洗浄水に代えて、熱風が供給されるようになっている。即ち、臀部乾燥手段９２は臀部洗浄手段３６と開口部３０を挟んで対向する位置に配置され、開口部３０の前後方向に進退する進退機構（図示せず）を有している。
図８に示すように、マット洗浄手段３７は、放射状に洗浄水を噴出する回転洗浄パイプ６７と、回転洗浄パイプ６７の外周に取付けられた６枚の回転羽根６８とを備えている。回転洗浄パイプ６７の外周には、隣り合う回転羽根６８間に２列の噴出孔６９が所定のピッチで形成されている。給水量は、約１〜１．５リットル／秒としている。
殺菌手段３８においては、マット洗浄手段３７によって洗浄された循環マット３１ａは紫外線ランプ（又は赤外線ランプ）を用いて紫外線（又は赤外線）を照射して殺菌している。なお、殺菌洗剤を使用して殺菌することもできる。
廃物受皿４０は、図３に示すように、コンベアフレーム４２の後端部４２ａにその後端部が取付けられ、廃液及び洗い落とされた排泄物を含む洗浄後の廃物が受けられると共に、その前端部は循環マット３１ａが通過できるように構成されている。廃物受皿４０には、排泄物を排出可能な排出口３９が後端下部に形成されると共に、廃物受皿４０内の洗浄用の水を供給する給水口７０が形成されている。
【００２４】
図３に示すように、マット乾燥手段４１は、テール側プーリ４５付近に搬送された循環マット３１ｂに、図示しないパイプからなる熱風ヘッダーに形成された、多数の小径の熱風吹き出し孔を介して４０〜５０℃の熱風を吹き付けて循環マット３１ｂを乾燥するようにしている。また、マット乾燥手段４１には、循環マット３１ｂに赤外線を照射することによって循環マット３１ｂを殺菌する赤外線照射機構（図示せず）を備えている。なお、前記熱風ヘッダーは、熱風源に接続されているものとする。
【００２５】
図９に示すように、ワイヤー３４はワイヤーＡ及びワイヤーＢが所定の間隔（１０〜３０ｍｍ程度）Ｐを開けて交互にそれぞれ２０本ずつ配置されており、各ワイヤーＡ及びワイヤーＢが通過するループ７１が形成された、検知糸状物の一例である被覆銅線７２がワイヤーＡ及びワイヤーＢに直交して配置されている。被覆銅線７２の両端には電池等の電源及びワイヤー３４の切断を検知する切断検知センサーが接続されており、被覆銅線７２と共に、ワイヤーの切断検知手段７３を構成している。もし、ワイヤー３４がずれると被覆銅線７２が切断して切断検知センサーが作用するようになっている。従って、ワイヤーの切断検知手段７３は、同時にワイヤー３４のずれを防止する手段でもある。
【００２６】
尿処理手段群１６は、図７に示すように、固定マット１２の長手方向に直交する断面で、開口部３０をコ字状（又は逆コ字状）に囲んで配置された第２の無端コンベア７４と、第２の無端コンベア７４の無端ベルト７４ａに所定のピッチを開けて取付けられ、寝たきり老人１１が放尿する尿を受ける３個の尿用循環マット７５、７５ａ、７５ｂを有している。また、開口部３０の上方には、寝たきり老人１１の陰部及びその近傍を洗浄する陰部洗浄手段７６と陰部洗浄手段７６で洗浄された陰部及びその近傍を乾燥する陰部乾燥手段９３が配置されており、第２の無端コンベア７４の下端部には、前記尿が付着した尿用循環マット７５を洗浄する尿用マット洗浄手段７７が設けられ、さらに、尿用マット洗浄手段７７によって洗浄された尿用循環マット７５ａを乾燥する尿用マット乾燥手段７８が設けられている。
【００２７】
尿処理手段群１６の下端部には、前記尿を含む洗浄後の廃液を受けて、該廃液を排出可能な排出口７９を備えた尿用廃物受皿８０が設けられている。また尿用廃物受皿８０と一体的に構成された、第２の無端コンベア７４、陰部洗浄手段７６、陰部乾燥手段９３、尿用マット洗浄手段７７及び尿用廃物受皿８０を支持すると共に、固定マット１２の長手方向に水平に進退する断面逆コ字状の進退フレーム８１を備えている。進退フレーム８１には、進退フレーム８１を駆動するフレーム駆動手段（図示せず）が設けられている。
【００２８】
第２の無端コンベア７４は、上部にモータ付きの駆動側プーリ８２が設けられ、下部にテール側プーリ８３が設けられている。駆動側プーリ８２とテール側プーリ８３との間には、ガイドプーリ８４〜８７が図７に示すように配置されている。なお、ガイドプーリ８６、８７は、無端ベルト７４ａの幅方向の両端部を支持する一対のもので構成されている。
尿用循環マット７５、７５ａ、７５ｂは、循環マット３１、３１ａ、３１ｂと同様、矩形状で、厚さが３〜５ｃｍに形成されており、綿やナイロンからできている。
【００２９】
陰部洗浄手段７６は、散水パイプ７６ａの下部に噴射ノズル７６ｂが取付けられて構成されており、散水パイプ７６ａには、図示しない給水源が接続されている。噴射ノズル７６ｂの位置は、固定ベッド１２上４００ｍｍ程度としている。
陰部乾燥手段９３は、陰部洗浄手段７６で洗浄された陰部及びその近傍を乾燥するもので、陰部洗浄手段７６と略同様の構造で、洗浄水に代わって熱風を使用している。
尿用マット洗浄手段７７は、臀部洗浄手段３６と同様の構造であり、進退フレーム８１に固定されており、第２の無端コンベア７４によって搬送中の尿用循環マット７５に散水して洗浄することができる。
尿用マット乾燥手段７８は、マット乾燥手段４１と同様、テール側プーリ８３の下流側に搬送された尿用循環マット７５ａに、パイプからなる熱風ヘッダー８８に形成された、多数の小径の熱風吹き出し孔（図示せず）を介して４０〜５０℃の熱風を吹き付けて（ブローして）尿用循環マット７５ａを乾燥するようにしている。また、尿用マット乾燥手段７８にも、尿用循環マット７５ａに赤外線を照射することによって尿用循環マット７５ａを殺菌する赤外線照射機構（図示せず）を備えている。
【００３０】
尿用廃物受皿８０は、尿用マット乾燥手段７８を包含すると共に、テール側プーリ８３側の下部には、洗浄後の廃液を排出するための排出口７９が設けられている。排出口７９は、尿用廃物受皿８０の下方に傾斜した底板８９の最下位置に設けられている。
進退フレーム８１は、尿用廃物受皿８０の上端に一体的に構成されており、ベッド本体１３に水平方向に設けられた図示しないフレームガイドに沿って固定マット１２の長手方向に進退できるように構成され、フレーム駆動手段によって駆動されている。寝たきり老人１１がベッド本体１３上で起き上がる際には、支障のないように、フレーム駆動手段を作動して、尿処理手段群１６を固定マット１２の後端位置に退避させるようにしている。
【００３１】
尿処理手段群１６には、第２の無端コンベア７４、陰部洗浄手段７６、陰部乾燥手段９３、尿用マット洗浄手段７７及び尿用マット乾燥手段７８の外側を覆う保護カバー（図示せず）が設けられており、該保護カバーの臀部１４（又は開口部３０）上方には、図１に示すように、寝たきり老人１１の前記陰部及びその近傍を隠すカーテン９０が取付けられている。図１中の符号９１は寝たきり老人１１の頭を載せる枕を表す。
【００３２】
次いで、本発明の一実施の形態に係る介護用ベッド装置１０の使用方法について、図を参照しながら説明する。まず、男性の大便又は女性の大便、小便の場合について、主に図３、図５及び図６を参照しながら説明する。
（１）図３に示すように、乾燥済みの新しい循環マット３１が固定マット１２の開口部３０に装着されており、ワイヤーの緊張支持手段３５によって、緊張支持切換ローラ５２とワイヤー３４との当接位置は、図５及び図６に示す第４の部分ｄの状態となって、ワイヤーＡ及びワイヤーＢ共、緩設した状態であり、寝たきり老人１１の臀部１４は新しい循環マット３１によって支えられている。
（２）寝たきり老人１１の臀部１４の近傍に設置された、図示しない水分センサー及び／又は臭気センサーによって、寝たきり老人１１の排尿及び／又は排泄物を用便後５〜１０分以内に検知する。
【００３３】
（３）前記検知信号に基づいて、制御・操作装置（図示せず）を介して、緊張支持切換ローラ５２を図５及び図６において時計方向に９０°回転させて、緊張支持切換ローラ５２とワイヤー３４との当接位置を第１の部分ａの状態（図５及び図６に示す状態）とし、これによって、ワイヤーＡ及びワイヤーＢ共、張設した状態でワイヤー３４すべてにより寝たきり老人１１の臀部１４を保持する。
（４）シリンダー４８を作動して、第１の無端コンベア３２をテール側プーリ４５を中心に回動させて、汚れた循環マット３１を、図３の２点鎖線で示す位置に移動する。
（５）緊張支持切換ローラ５２を、図５及び図６において時計方向に９０°回転させて、緊張支持切換ローラ５２とワイヤー３４との当接位置を第２の部分ｂの状態とし、これによって、図７に示すように、ワイヤーＡは張設し、ワイヤーＢは緩設した状態となり、張設したワイヤーＡにより寝たきり老人１１の臀部１４を保持する。
【００３４】
（６）図３に示す臀部洗浄手段３６を頭側から足側に移動させながら、寝たきり老人１１の臀部１４を洗浄する。この際、緩設したワイヤーＢは臀部洗浄手段３６により完全に洗浄されるが、寝たきり老人１１の臀部１４に当接しているワイヤーＡは完全に洗浄されない。洗浄後の汚水や排泄物は汚れた循環マット３１上又は廃物受皿４０内に落下する。
（７）緊張支持切換ローラ５２を、図５及び図６において時計方向に９０°回転させて、緊張支持切換ローラ５２とワイヤー３４との当接位置を第３の部分ｃの状態とし、これによって、ワイヤーＡは緩設し、ワイヤーＢは張設した状態とし、洗浄されたワイヤーＢにより寝たきり老人１１の臀部１４を保持する。
【００３５】
（８）図３に示す臀部洗浄手段３６を足側から頭側に移動させながら、寝たきり老人１１の臀部１４を洗浄する。この際、緩設したワイヤーＡは臀部洗浄手段３６により完全に洗浄される。その後、臀部乾燥手段９２を使用して臀部１４を乾燥する。
前記（５）〜（８）の作業の間に、以下（９）〜（１３）の作業が平行して行われる。
（９）第１の無端コンベア３２を運転して、汚れた循環マット３１及びその他の循環マット３１ａ、３１ｂを移動させる。
（１０）汚れた循環マット３１は移動中にマット洗浄手段３７によって、排泄物が取り除かれると共に、散水によって洗浄される。
（１１）マット洗浄手段３７によって洗浄された循環マット３１ａは、殺菌手段３８によって殺菌、消毒される。
【００３６】
（１２）殺菌手段３８によって殺菌、消毒された循環マット３１ｂは、マット乾燥手段４１によって乾燥させる。
（１３）廃物受皿４０には、給水口７０からきれいな水が常時給水され、廃物受皿４０の下端部に設けられた排出口３９を介して排泄物や廃液が外部に排出される。
（１４）第１の無端コンベア３２を運転して、乾燥させた新しい循環マット３１ｂ及びその他の循環マット３１、３１ａを所定の位置に移動させる。
（１５）シリンダー４８を作動して、循環マット３１ｂを固定マット１２の開口部３０に装着する。
（１６）緊張支持切換ローラ５２を図５及び図６において時計方向に９０°回転させて、緊張支持切換ローラ５２とワイヤー３４との当接位置を第４の部分ｄの状態とし、これによって、ワイヤーＡ及びワイヤーＢ共、緩設した状態で循環マット３１ｂにより寝たきり老人１１の臀部１４を保持する。
以下、同様に繰り返して使用する。
【００３７】
次に、男性の小便の場合について、主に図７を参照しながら説明する。
（１７）図７に示すように、寝たきり老人１１の臀部１４の上方には、乾燥済みの新しい尿用循環マット７５が配置された状態となっている。寝たきり老人１１の臀部１４の上方の所定の位置に配置された図示しない水分センサー及び／又は臭気センサーによって、寝たきり老人１１の排尿を検知し、制御・操作装置を介して陰部洗浄手段７６を作動して寝たきり老人１１の陰部周りを洗浄し、次いで陰部乾燥手段９３を作動して陰部周りを乾燥する。
（１８）第２の無端コンベア７４を運転して、汚れた尿用循環マット７５及びその他の尿用循環マット７５ａ、７５ｂを移動させる。
（１９）汚れた尿用循環マット７５は移動中に尿用マット洗浄手段７７による尿用洗浄パイプからの洗浄水の散水によって洗浄される。
【００３８】
（２０）尿用マット洗浄手段７７によって洗浄された尿用循環マット７５ａは、移動中に尿用マット乾燥手段７８によって乾燥させる。
（２１）尿用廃物受皿８０で受けた尿及び洗浄廃液は、尿用廃物受皿８０の下端部に設けられた排出口７９を介して外部に排出される。
（２２）第２の無端コンベア７４を運転して、乾燥した新しい尿用循環マット７５ｂ及びその他の尿用循環マット７５、７５ａを所定の位置に移動させる。
（２３）前記（３）〜（１６）の作業を行う。
【００３９】
前記実施の形態においては、第１の無端コンベア３２又は第２の無端コンベア７４はベルト式で説明したが、これに限定されず、チェーン式とすることもできる。従って、無端ベルトに代えて無端チェーンとする。
男性の場合には、臀部処理手段群１５及び尿処理手段群１６を使用する必要があるが、女性の場合には、臀部処理手段群１５を使用するだけで済む。
臀部洗浄手段３６、マット洗浄手段３７、陰部洗浄手段７６又は尿用マット洗浄手段７７においては、洗浄を水によって行ったが、必要に応じて、その他の洗浄剤を使用することもできる。
【００４０】
臀部洗浄手段３６で使用する臀部洗浄パイプ６６を開口部３０の前後方向に進退する場合に、放射状に洗浄水を噴出する臀部洗浄パイプの外側に軟質材の一例であるスポンジ材を被覆し、該スポンジ材を臀部１４に接触させて実質的に滑ることなく回転させながら水平方向に移動させるパイプ回転・進退機構を備えることもできる。即ち、臀部洗浄パイプが前側から後側に移動する時には、臀部洗浄パイプは臀部１４に接触しながら反時計方向に回転し、一方、臀部洗浄パイプが後側から前側に移動する時には、臀部洗浄パイプは臀部１４に接触しながら時計方向に回転するように構成する。これによって、確実に臀部１４を洗浄できると共に、臀部洗浄パイプが臀部１４に柔らかく接触できる。さらに、臀部洗浄手段３６を固定式とすることもできる。また、臀部乾燥手段９２も固定式とすることもできる。
【００４１】
ワイヤーの緊張支持手段として、緊張支持切換ローラ５２を使用し、同時に多数のワイヤー（すべてのワイヤー３４、ワイヤーＡ又はワイヤーＢ）を張設・緩設するように構成したが、これに限定されず、例えば、緊張支持切換ローラ５２を使用せず、別の方法によってワイヤー１本ずつを単独に張設・緩設するように構成することもできる。
緊張支持切換ローラ５２の円弧の長さｓと切込みの弦の長さｇを確保するために、本実施の形態では第１〜第４の部分ａ〜ｄの中心角を９０°としたが、緊張支持切換ローラの径を大きくすることによって、９０°より小さくすることもできる。
【００４２】
尿用廃物受皿８０と進退フレーム８１とを一体的に構成したが、これに限定されず、別々に構成することもできる。また、進退フレーム８１は保護カバーを兼用できるように構成することもできる。
循環マット又は尿用循環マットはそれぞれ、第１の無端コンベア３２又は第２の無端コンベア７４に３個設けられたが、これに限定されず、４個以上とすることもできる。
【００４３】
マット装着手段として、第１の無端コンベア３２のテール側プーリ４５を回転中心として第１の無端コンベア３２を回動するようにしたが、これに限定されず、例えば、ヘッド側プーリ４３を回転中心として回動してもよいし、第１の無端コンベア全体を昇降させて、循環マットを開口部３０に装着することもできる。
ワイヤー３４の張設方向、第１の無端コンベア３２の無端ベルト４７の移動方向又は臀部洗浄手段３６の臀部洗浄パイプ６６の移動方向はすべて、固定マット１２の前後方向としているが、これに限定されず、状況に応じて固定マット１２の左右方向とすることもできる。
尿処理手段群１６を、進退するように構成したが、必要に応じて、固定する構造とすることもできる。
マット乾燥手段４１（尿用マット乾燥手段７８も同じ）において、循環マットを洗浄（場合によって殺菌）した後、乾燥しているが、マット乾燥手段４１の効率を向上し、省エネルギー化を図るために、図３に示すように、マット乾燥手段４１の上流側に、対となる脱水用の絞りローラ９４、９４ａを設けることもできる。
緊張支持切換ローラ５２の切換を４段階、即ち、図５及び図６の第１〜４の部分ａ〜ｄとしたが、第１の部分ａ（４０本のワイヤーで張って支える）を無くして、第２〜４の部分ｂ〜ｄの３段階とし、循環マット３１を下降する前に、第２の部分ｂに切り換えて、２０本のワイヤーＡで臀部を支えることもできる。
【００４４】
【発明の効果】
請求項１〜１１記載の介護用ベッド装置においては、使用する人の臀部は糸又は帯状部材の緊張支持手段によって支えられるので、そのままの体位で汚れた臀部は洗浄され、洗浄後の廃液及び排泄物は処理される。また、汚れた循環マットも洗浄され、殺菌された後、乾燥されて再び使用される。従って、使用する人がおむつを使用することなく、本人は勿論、介護人にとって排泄物の処理において衛生的であり、また精神的に苦痛を感じることもなく、かつ本人にとっても恥ずかしい思いをしないで済む。
特に、請求項２記載の介護用ベッド装置においては、使用する人が放尿する尿によって汚れた尿用循環マット及び尿によって汚れた陰部及びその近傍は、使用する人の体位はそのままの状態で洗浄され、洗浄後の廃液及び尿は処理され、また、洗浄された尿用循環マットは、乾燥されて再び使用されるので、寝たきりの男性にも使用できる。
【００４５】
請求項３記載の介護用ベッド装置においては、汚物の飛散を防止できると共に、使用する本人にとって恥ずかしい思いをすることがないので、衛生的で、かつ快適なものとなる。
請求項４記載の介護用ベッド装置においては、尿用循環マットを水によって容易に洗浄できるので、安くでき、かつ処理が容易となる。
請求項５記載の介護用ベッド装置においては、簡略で省スペースな手段とすることができるので、軽量で安価な装置とすることができる。
請求項６記載の介護用ベッド装置においては、緊張支持切換ローラの回転角度を変えることで、簡単な手段により、かつ容易に、開口部に配置された隣り合う糸又は帯状部材を交互に張設・緩設すると共に、全部の糸又は帯状部材を張設・緩設することができるので、固定マットの下方にコンパクトに収納できると共に、張設・緩設の動作が確実である。
【００４６】
請求項７記載の介護用ベッド装置においては、軟質材により臀部を確実に洗浄できると共に、臀部洗浄パイプが臀部に軟らかく接触できるので、使用する人にとって気持ちがよい。
請求項８記載の介護用ベッド装置においては、マット装着手段を簡略化できるので、コンパクトにできると共に、安価に製作できる。
請求項９記載の介護用ベッド装置においては、回転羽根により排泄物を掻き落としながら水で循環マットを洗浄できるので、洗浄効果を向上できる。
請求項１０記載の介護用ベッド装置においては、循環マットを殺菌できるので、衛生的である。
請求項１１記載の介護用ベッド装置においては、すぐに糸又は帯状部材の切断個所を補修できるので、安全な装置にできる。
【図面の簡単な説明】
【図１】本発明の一実施の形態に係る介護用ベッド装置の使用状況を説明する斜視図である。
【図２】同介護用ベッド装置における臀部の処理に関連して循環マットを装着中の斜視図である。
【図３】同介護用ベッド装置における臀部の処理に関連した正断面図である。
【図４】同介護用ベッド装置のワイヤーの緊張支持手段における、ワイヤーと緊張支持切換ローラの配置の説明図である。
【図５】図４の矢視Ｉ−Ｉ断面図である。
【図６】図４の矢視II−II断面図である。
【図７】本発明の一実施の形態に係る介護用ベッド装置における尿の処理に関連した側断面図である。
【図８】マット洗浄手段の断面図である。
【図９】ワイヤーの切断検知手段の説明図である。
【符号の説明】
１０：介護用ベッド装置、１１：寝たきり老人（使用する人）、１２：固定マット、１３：ベッド本体、１４：臀部、１５：臀部処理手段群、１６：尿処理手段群、１７〜２０：脚材、２１〜２４：上補強部材、２５〜２８：下補強部材、２９：空間部、３０：開口部、３１、３１ａ、３１ｂ：循環マット、３２：第１の無端コンベア、３３：マット装着手段、３４：ワイヤー（糸又は帯状部材）、３５：ワイヤーの緊張支持手段、３６：臀部洗浄手段、３７：マット洗浄手段、３８：殺菌手段、３９：排出口、４０：廃物受皿、４１：マット乾燥手段、４２：コンベアフレーム、４２ａ：後端部、４３：ヘッド側プーリ、４４：水平ガイドプーリ、４５：テール側プーリ、４６：ガイドプーリ、４７：無端ベルト、４８：シリンダー、４９：掛止部、５０：前側ガイド部材、５１：後側ガイド部材、５２：緊張支持切換ローラ、５３：固定部、５４：取付け部材、５５：掛止部材、５６：ワイヤー保持具、５７：軸、５８：切込み、５９：切込み、６０：切込み、６１：取付け部材、６２：掛止部材、６３：ワイヤー保持具、６４、６５：水平ガイド、６６：臀部洗浄パイプ、６７：回転洗浄パイプ、６８：回転羽根、６９：噴出孔、７０：給水口、７１：ループ、７２：被覆銅線（検知糸状物）、７３：ワイヤーの切断検知手段、７４：第２の無端コンベア、７４ａ無端ベルト、７５、７５ａ、７５ｂ：尿用循環マット、７６：陰部洗浄手段、７６ａ：散水パイプ、７６ｂ：噴射ノズル、７７：尿用マット洗浄手段、７８：尿用マット乾燥手段、７９：排出口、８０：尿用廃物受皿、８１：進退フレーム、８２：駆動側プーリ、８３：テール側プーリ、８４〜８７：ガイドプーリ、８８：熱風ヘッダー、８９：底板、９０：カーテン、９１：枕、９２：臀部乾燥手段、９３：陰部乾燥手段、９４、９４ａ：絞りローラ
【図１】
0004137313.tif 000002
【図２】
0004137313.tif 000003
【図３】
0004137313.tif 000004
【図４】
0004137313.tif 000005
【図５】
0004137313.tif 000006
【図６】
0004137313.tif 000007
【図７】
0004137313.tif 000008
【図８】
0004137313.tif 000009
【図９】
0004137313.tif 000010